(57)【要約】【課題】  いかなる構成のカードでも台紙から脱落したことを確実に検出できるカード付き台紙を提供する。【課題を解決するための手段】  カード付き台紙１は、台紙２にカードを取り外し可能に支持し、台紙２におけるカードで被覆される部分には、機械的に読み取り可能なバーコード１２を表示する一方、台紙２のカード支持面における露出部分には、台紙２あるいはカードを特定する情報６を表示し、台紙２とこれに支持したカードとのマッチングを取った後、台紙２のバーコード１２の読み取りを行い、バーコード１２を読み取った場合には、当該バーコード１２に対応して支持したカードが台紙２から脱落していると判断する。【選択図】    図３
2006095695.tif 000002
【特許請求の範囲】
【請求項１】
台紙にカードを取り外し可能に支持し、前記台紙における前記カードで被覆される部分には、機械的に読み取り可能で前記台紙あるいは前記カードを特定する検出情報を表示したことを特徴とするカード付き台紙。
【請求項２】
台紙にカードを取り外し可能に支持し、前記台紙における前記カードで被覆される部分には、機械的に読み取り可能な検出情報を表示する一方、前記台紙のカード支持面における露出部分には、前記台紙あるいは前記カードを特定する情報を表示したことを特徴とするカード付き台紙。
【請求項３】
請求項１又は請求項２に記載のカード付き台紙におけるカードの脱落検出方法であって、前記台紙とこれに支持したカードとのマッチングを取った後、前記台紙の前記検出情報の読み取りを行い、前記検出情報を読み取った場合に、当該検出情報に対応して支持したカードが前記台紙から脱落していると判断することを特徴とするカード付き台紙におけるカード脱落検出方法。
【発明の詳細な説明】
【技術分野】
【０００１】
本発明は、カードを取り外し可能に支持した台紙及びこの台紙におけるカードの脱落検出方法に関する。
【背景技術】
【０００２】
従来から、カードを取り外し可能に支持した台紙は、種々の構成のものが知られているが、カードを台紙に剥離可能に接着する構成と、カードを台紙に設けた切り込みに挿入支持する構成が一般的である。ところが、これらの構成によると、まれにカードが台紙から脱落することがあり、この脱落に気づかずに、例えばカードを郵送する場合に、カードが脱落したままの台紙を封筒に挿入して、郵送してしまうという事態を起こしていた。このような事態を避けるために、従来から台紙に支持したカードの有無の検出を行っているが、従来は、厚みあるいは重量を検出したり、カード表面に表示した情報を機械的に読み取って、カードの有無を判断している。なお、出願人は本願発明の出願にあたり先行技術の調査を行ったが、上記従来技術に関する発明が記載された刊行物は発見されなかった。
【発明の開示】
【発明が解決しようとする課題】
【０００３】
ところが、一般にカードは薄く、軽いものなので、厚みあるいは重量を検出するには、高精度の検出器を用いないと誤検出が発生する一方、高精度の検出器は高価であるという不都合がある。また、カード表面に表示した情報を読み取って、カードの有無を検知する方式では、表面が均一な平面であれば問題はないが、エンボス加工が施されて、表面に凹凸が形成されていると、この凹凸面に表示した情報を機械的に読み取ることは困難で、読み取り動作に誤りを生じてしまうという不都合がある。本発明は、このような不都合を解消したカード付き台紙及びこの台紙におけるカード脱落検出方法を提供することを目的とする。
【課題を解決するための手段】
【０００４】
この目的を達成するため本発明の請求項１に係るカード付き台紙は、台紙にカードを取り外し可能に支持し、前記台紙における前記カードで被覆される部分には、機械的に読み取り可能で前記台紙あるいは前記カードを特定する検出情報を表示したものである。
【０００５】
同じく上述の目的を達成するために本発明の請求項２に係るカード付き台紙は、台紙にカードを取り外し可能に支持し、前記台紙における前記カードで被覆される部分には、機械的に読み取り可能な検出情報を表示する一方、前記台紙のカード支持面における露出部分には、前記台紙あるいは前記カードを特定する情報を表示したことを特徴とするカード付き台紙。
【０００６】
同じく上述の目的を達成するために本発明の請求項３に係るカード付き台紙におけるカード脱落検出方法は、請求項１又は請求項２に記載のカード付き台紙におけるカードの脱落検出方法であって、前記台紙とこれに支持したカードとのマッチングを取った後、前記台紙の前記検出情報の読み取りを行い、前記検出情報を読み取った場合に、当該検出情報に対応して支持したカードが前記台紙から脱落していると判断するものである。
【発明の効果】
【０００７】
本発明の請求項１に係るカード付き台紙によれば、台紙に表示した検出情報の読み取りの有無によって、カードの脱落と当該カードを支持した台紙を特定できるので、カードの材質や加工の有無に拘わらず、いかなる構成のカードであっても、カード脱落の判断が容易、かつ確実である、という効果を奏する。
【０００８】
本発明の請求項２に係るカード付き台紙によれば、台紙に表示した検出情報の読み取りの有無によって、カードの脱落が検出でき、検出後に台紙に表示した情報と照合して、脱落したカードと当該カードを支持した台紙を特定できるので、カードの材質や加工の有無に拘わらず、いかなる構成のカードであっても、カード脱落の判断が容易、かつ確実である、という効果を奏する。
【０００９】
本発明の請求項３に係るカード付き台紙におけるカード脱落検出方法によれば、カードの材質や加工の有無に拘わらず、いかなる構成のカードであっても、高価な装置を使用することなく、容易、かつ確実にカードの脱落を検出し、当該脱落したカ−ド及びカードを支持した台紙を特定できる、という効果を奏する。
【発明を実施するための最良の形態】
【００１０】
以下、本発明の好適な実施形態について添付図面に基づき説明する。ここにおいて、図１はカード付き台紙の平面図、図２は図１のＡ−Ａ線断面図、図３はカードの脱落状態を示す平面図、図４はカード脱落の検出動作を示すフロー図である。
【００１１】
図１及び図２に示すように、カード付き台紙１は、台紙２の一面に２枚の紙製のカード３ａ，３ｂを剥離可能に接着してなる。前記各カード３ａ，３ｂの表面には、「○○カード」というカード名４ａ，４ｂと、カード番号や所有者名などのカード情報５ａ，５ｂを表示している。また、前記台紙２のカード支持面の露出部分には、「Ｎｏ．１２３４５６７」という管理番号６を表示している。
【００１２】
続いて、台紙２に対する剥離可能な接着構造を説明するが、各カード３ａ，３ｂの構成は同一なので、カード３ａについてのみ説明し、カード３ｂについては、対応する構成要素に同一符号を付するに止める。カード３ａの裏面には、不完全な溶着等により形成した疑似接着層７によって剥離可能に接着した、２枚の透視可能な合成樹脂製のフィルム８，９の一方のフィルム８を、接着剤１０によって剥離困難に接着し、前記他方のフィルム９を接着剤１１によって前記台紙２に剥離困難に接着している。なお、前記各接着剤１０，１１は透視可能である。
【００１３】
したがって、各カード３ａ，３ｂは、疑似接着層７からフィルム８とともに剥離可能であり、これによって前記各カード３ａ，３ｂは、フィルム９を台紙２に残した状態で、台紙２に対して剥離可能である。
【００１４】
図３で理解できるように、台紙２の各カード３ａ，３ｂで被覆される部分には、機械的に読み取り可能な検出情報であるバーコード１２を表示している（但し、カード３ｂについては図示せず）。このバーコード１２は、前記台紙２に表示した管理番号６と同一内容である。
【００１５】
続いて、上述のように構成したカード付き台紙１におけるカード脱落検出方法について説明する。この検出は、図示していないが、カード付き台紙１を所定方向に移送し、移送経路上に設けたバーコードリーダで台紙２に表示したバーコード１２を読み取るもので、この読み取り動作は、バーコードリーダを接続したコンピュータで制御する。前記カード付き台紙１は、天地方向に折り兼切り用ミシン目を介して連接された連続状態にあってもよい。また、あらかじめ台紙２とこれに支持した各カード３ａ，３ｂとのマッチング（紐付け）が取られていない場合には、このマッチングを読み取り動作に先立って行うものである。
【００１６】
図４のフロー図に示すように、カード付き台紙１が所定位置に移動して来ると、バーコードリーダによるバーコード１２の読み取りを行う。ここで、台紙２にカード３ａ，３ｂが支持されている状態では、バーコード１２はカード３ａ，３ｂに被覆されているので、バーコードリーダによる読み取りは不可能である。したがって、前記バーコード１２をバーコードリーダが読み取った場合には、当該バーコード１２に対応して支持したカード３ａが台紙２から脱落していると判断する（図３参照）。
【００１７】
一方、バーコード１２が読み取れなかった場合には、当該バーコード１２に対応して支持したカード３ａは台紙２に接着していると判断する（図１参照）。カード３ａが脱落している場合のバーコード１２の読み取りは、透視可能なフィルム９及び接着剤１１を透して確実になされる。
【００１８】
なお、本発明は、上述の実施形態に限定されるものではなく、例えば、台紙２に支持するカード３ａ，３ｂの枚数は１枚でもよいし、３枚以上でもよく、台紙２の大きさや、用途によって選択されるものである。また、カード３ａ，３ｂを台紙２に取り外し可能に支持する構成も、接着力の弱い透視可能な接着剤によって剥離可能に接着したり、１枚の透視可能なフィルムのみを介して剥離可能に接着するほか、台紙２に切り込みを設けて、この切り込みにカード３ａ，３ｂの適所を挿入支持するよう構成してもよい。さらに、検出情報としては、バーコード１２のほか、管理番号６と同一内容の７桁の数字や、特定の図形等でもよい。
【図面の簡単な説明】
【００１９】
【図１】カード付き台紙を示す平面図。
【図２】図１の概略的なＡ−Ａ線断面図。
【図３】１枚のカードが脱落した状態を示すカード付き台紙の平面図。
【図４】カード脱落の検出動作を示すフロー図。
【符号の説明】
【００２０】
１      カード付き台紙
２      台紙
３ａ，３ｂ      カード
６      管理番号
７      疑似接着層
８，９      フィルム
１０，１１      接着剤
１２      バーコード
【図１】
2006095695.tif 000003
【図２】
2006095695.tif 000004
【図３】
2006095695.tif 000005
【図４】
2006095695.tif 000006